【手続補正書】
【提出日】平成17年11月25日(2005.11.25)
【手続補正１】
【補正対象書類名】明細書
【補正対象項目名】特許請求の範囲
【補正方法】変更
【補正の内容】
【特許請求の範囲】
【請求項１】  供給通路に供給される遊技球を，略水平方向に回転軸を有する払出スクリューの回転により，上記供給通路から送り通路に迎え入れると共に該送り通路上において前進させ払出通路まで導いて払い出す球払出装置において，
上記払出スクリューは，その外周に螺旋状に配設したねじ山部を有し，該ねじ山部を上記遊技球に当接させて回転させることにより該遊技球を上記送り通路上において前進させるよう構成されており，
上記供給通路は，上記ねじ山部の上記払出スクリューの横断面方向における左右両側面から該ねじ山部を介して互いに対向する位置に開口した左右一対の２つを１組とし，これを上記払出スクリューの軸方向において複数組有しており，
上記送り通路は，上記払出スクリューの軸方向に向けて形成されていると共に，上記各供給通路と上記払出通路とを連通させるよう複数形成されており，
上記ねじ山部は，上記払出スクリューの軸方向における２箇所に第１ねじ山部及び第２ねじ山部として形成されており，
上記各供給通路は，上記第１ねじ山部の右側面に位置する第１供給通路，上記第２ねじ山部の右側面に位置する第２供給通路，上記第１ねじ山部の左側面に位置する第３供給通路及び上記第２ねじ山部の左側面に位置する第４供給通路として４箇所に形成されており，
上記送り通路は，上記第１供給通路に連通する第１送り通路，上記第２供給通路に連通する第２送り通路，上記第３供給通路に連通する第３送り通路及び上記第４供給通路に連通する第４送り通路として４箇所に形成されており，
上記払出スクリューの回転により，上記各供給通路から上記各送り通路に迎え入れられた上記各遊技球が，順次異なる上記送り通路から１個ずつ上記払出通路に払い出されるよう構成されていることを特徴とする球払出装置。
【請求項２】  請求項１において，上記第１ねじ山部と上記第２ねじ山部とは，それらの螺旋方向が互いに逆になっており，
上記払出通路は，上記第１送り通路と上記第２送り通路との合流部に形成された第１払出通路と，上記第３送り通路と上記第４送り通路との合流部に形成された第２払出通路として２箇所に形成されていることを特徴とする球払出装置。
【請求項３】  請求項２において，上記第１払出通路及び上記第２払出通路には，それぞれ上記遊技球の払出を検出する払出検出センサが設けてあり，
該払出検出センサにより，上記第１送り通路又は上記第２送り通路から上記第１払出通路への払出と，上記第３送り通路又は上記第４送り通路から上記第２払出通路への払出とを交互に検出できるよう構成されていることを特徴とする球払出装置。
【手続補正２】
【補正対象書類名】明細書
【補正対象項目名】０００６
【補正方法】変更
【補正の内容】
【０００６】
【課題の解決手段】
本発明は，供給通路に供給される遊技球を，略水平方向に回転軸を有する払出スクリューの回転により，上記供給通路から送り通路に迎え入れると共に該送り通路上において前進させ払出通路まで導いて払い出す球払出装置において，
上記払出スクリューは，その外周に螺旋状に配設したねじ山部を有し，該ねじ山部を上記遊技球に当接させて回転させることにより該遊技球を上記送り通路上において前進させるよう構成されており，
上記供給通路は，上記ねじ山部の上記払出スクリューの横断面方向における左右両側面から該ねじ山部を介して互いに対向する位置に開口した左右一対の２つを１組とし，これを上記払出スクリューの軸方向において複数組有しており，
上記送り通路は，上記払出スクリューの軸方向に向けて形成されていると共に，上記各供給通路と上記払出通路とを連通させるよう複数形成されており，
上記ねじ山部は，上記払出スクリューの軸方向における２箇所に第１ねじ山部及び第２ねじ山部として形成されており，
上記各供給通路は，上記第１ねじ山部の右側面に位置する第１供給通路，上記第２ねじ山部の右側面に位置する第２供給通路，上記第１ねじ山部の左側面に位置する第３供給通路及び上記第２ねじ山部の左側面に位置する第４供給通路として４箇所に形成されており，
上記送り通路は，上記第１供給通路に連通する第１送り通路，上記第２供給通路に連通する第２送り通路，上記第３供給通路に連通する第３送り通路及び上記第４供給通路に連通する第４送り通路として４箇所に形成されており，
上記払出スクリューの回転により，上記各供給通路から上記各送り通路に迎え入れられた上記各遊技球が，順次異なる上記送り通路から１個ずつ上記払出通路に払い出されるよう構成されていることを特徴とする球払出装置にある（請求項１）。
【手続補正３】
【補正対象書類名】明細書
【補正対象項目名】００１２
【補正方法】変更
【補正の内容】
【００１２】
また，上記のごとく，上記ねじ山部は，上記払出スクリューの軸方向における２箇所に第１ねじ山部及び第２ねじ山部として形成されており，上記各供給通路は，上記第１ねじ山部の右側面に位置する第１供給通路，上記第２ねじ山部の右側面に位置する第２供給通路，上記第１ねじ山部の左側面に位置する第３供給通路及び上記第２ねじ山部の左側面に位置する第４供給通路として４箇所に形成されており，上記送り通路は，上記第１供給通路に連通する第１送り通路，上記第２供給通路に連通する第２送り通路，上記第３供給通路に連通する第３送り通路及び上記第４供給通路に連通する第４送り通路として４箇所に形成されている。
【手続補正４】
【補正対象書類名】明細書
【補正対象項目名】００１５
【補正方法】変更
【補正の内容】
【００１５】
また，上記第１ねじ山部と上記第２ねじ山部とは，それらの螺旋方向が互いに逆になっており，上記払出通路は，上記第１送り通路と上記第２送り通路との合流部に形成された第１払出通路と，上記第３送り通路と上記第４送り通路との合流部に形成された第２払出通路として２箇所に形成されていることが好ましい（請求項２）。
【手続補正５】
【補正対象書類名】明細書
【補正対象項目名】００１８
【補正方法】変更
【補正の内容】
【００１８】
また，上記第１払出通路及び上記第２払出通路には，それぞれ上記遊技球の払出を検出する払出検出センサが設けてあり，該払出検出センサにより，上記第１送り通路又は上記第２送り通路から上記第１払出通路への払出と，上記第３送り通路又は上記第４送り通路から上記第２払出通路への払出とを交互に検出できるよう構成されていることが好ましい（請求項３）。
【手続補正６】
【補正対象書類名】明細書
【補正対象項目名】００２２
【補正方法】変更
【補正の内容】
【００２２】
また，上記各送り通路は，該各送り通路上に配置された各遊技球の球中心が，上記払出スクリューの軸中心と同等の高さ位置又は上記払出スクリューの軸中心よりも下方に位置するよう構成されていることが好ましい。
この場合には，各供給通路に供給された遊技球の自重による圧力が，上記払出スクリューに上方から直接作用することを防止することができる。これにより，上記払出スクリューに上記遊技球による無理な負荷が加わることを抑制することができる。
【手続補正７】
【補正対象書類名】明細書
【補正対象項目名】００３０
【補正方法】変更
【補正の内容】
【００３０】
また，上記払出スクリューには，該払出スクリューと共に回転する回転板が設けてあると共に，上記球払出装置には，上記払出スクリューの回転位置を検出する回転検出センサが設けてあり，上記回転板は，上記回転検出センサによる上記回転位置の検出に関与しない軽量用の空間部を有していることが好ましい。
【手続補正８】
【補正対象書類名】明細書
【補正対象項目名】００３２
【補正方法】変更
【補正の内容】
【００３２】
また，上記第１〜第４供給通路は，上記払出スクリューの上方において収束した通路収束部を形成しており，上記払出スクリューの横断面方向において，上記第１供給通路及び上記第３供給通路は，上記通路収束部より上記第１ねじ山部の左右両側に振り分けられていると共に，上記第２供給通路及び上記第４供給通路は，上記通路収束部より上記第２ねじ山部の左右両側に振り分けられており，上記払出スクリューの軸方向において，上記第１供給通路及び上記第３供給通路は，上記通路収束部より上記第１ねじ山部の外側軸端部に振り分けられていると共に，上記第２供給通路及び上記第４供給通路は，上記収束部より上記第２ねじ山部の外側軸端部に振り分けられていることが好ましい。